(57)【要約】【課題】ロッドレンズアレイを用いたＣＩＳスキャナで、反射原稿と同様、透過原稿も最適なピントで読むことを目的とする。【解決手段】第１および第２の２列の画像読み取り素子アレイとそれぞれに対応した第１及び第２の焦点レンズを備え、第１の焦点レンズと第２の焦点レンズの焦点位置は異ならせる。第２の画像読み取り素子アレイの方が高解像度であり、焦点距離は第１のレンズよりも第２のレンズの方が長い。また、第２の画像読み取り素子アレイの方が読み取り長さが短い。【選択図】　　　図２
2004126284.tif 000002
【特許請求の範囲】
【請求項１】
複数の光電変換素子をライン状に配列した第１の画像読み取り素子アレイと、
前記第１の画像読み取り素子アレイと平行して複数の光電変換素子をライン状に配列した第２の画像読み取り素子アレイと、
第１の焦点位置にある第１の原稿画像を前記第１列の画像読み取り素子アレイ上に結像させる第１のレンズと、
前記第１のレンズとは共役長が異なり、前記第１の焦点位置と異なる第２の焦点位置にある第２の原稿画像を前記第２列の画像読み取り素子アレイ上に結像させる第２のレンズと、
を備えたことを特徴とする画像読取ユニット。
【請求項２】
前記第２のレンズの共役長は、前記第１のレンズの共役長よりも長いことを特徴とする請求項１に記載の画像読取ユニット。
【請求項３】
複数の光電変換素子をライン状に配列した第１の画像読み取り素子アレイと、
前記第１の画像読み取り素子アレイと平行して複数の光電変換素子がライン状に配列され、前記第１の画像読み取り素子アレイよりも高解像度な第２の画像読み取り素子アレイと、
第１の焦点位置にある第１の原稿画像を前記第１列の画像読み取り素子アレイ上に結像させる第１のレンズと、
前記第１の焦点位置と異なる第２の焦点位置にある第２の原稿画像を前記第２列の画像読み取り素子アレイ上に結像させる第２のレンズと、
を備えたことを特徴とする画像読取ユニット。
【請求項４】
前記第２の画像読み取り素子アレイは、前記第１の画像読み取り素子アレイよりも高解像度であることを特徴とする請求項１又は２に記載の画像読取ユニット。
【請求項５】
前記第２の画像読み取り素子アレイは、前記第１の画像読み取り素子アレイよりも有効読み取り幅が短いことを特徴とする請求項１乃至４のいずれか１項に記載の画像読取ユニット。
【請求項６】
前記第２のレンズは、前記第１のレンズよりも有効結像範囲が狭いことを特徴とする請求項５に記載の画像読取ユニット。
【請求項７】
前記第１及び第２の画像読み取り素子アレイは、同一の基板上に設けられたことを特徴とする請求項１乃至６のいずれか１項に記載の画像読取ユニット。
【請求項８】
前記第１及び第２のレンズは、ロッドレンズアレイを含むことを特徴とする請求項１乃至７のいずれか１項に記載の画像読取ユニット。
【請求項９】
前記第１の原稿画像は反射原稿画像であり、前記第２の原稿画像は透過原稿画像であることを特徴とする請求項１乃至８のいずれかに記載の画像読取ユニット。
【請求項１０】
前記請求項１乃至９のいずれか１項に記載された画像読取ユニットと、前記画像読取ユニットと前記第１の原稿画像又は前記第２の原稿画像とを相対的に移動させる移動ユニットとを有することを特徴とする画像読取装置。
【請求項１１】
さらに原稿が載置される原稿台を有し、第１の原稿は前記原稿台上に直接載置され、第２の原稿は所定のホルダに格納された状態で前記原稿台上の所定位置に載置されることを特徴とする請求項１０に記載の画像読取装置。
【請求項１２】
さらに、前記第１の原稿画像を照明する第１の照明手段と、前記第２の原稿画像を照明する第２の照明手段とを備えたことを特徴とする請求項１０又は１１に記載の画像読取装置。
【発明の詳細な説明】
【０００１】
【発明の属する技術分野】
本発明は、複数個の光電変換素子を直線状に配置した画像読み取り素子アレイを備えた画像読取ユニットおよび、前記読取ユニットを使用して、印刷物などの反射原稿や、写真フィルムなどの透過原稿を読み取る機能を持った画像読取装置に関する。
【０００２】
【従来の技術】
従来、写真フィルムなどの透過原稿を、原稿台ガラスを有するフラットベッド方式の画像読取装置で読み取る場合には、透過原稿ガイドユニットに透過原稿を設置して原稿台ガラスに設置して、透過原稿の上から面光源ユニットで照射する方式が主流である。この方式の画像読取装置においては一般に、焦点が最も合っている位置は原稿台ガラス上面０ｍｍの位置、すなわち原稿台ガラスに接する位置となるように設計する。その理由は、読み取るべき主な原稿が反射原稿であると想定しているからである。そして、透過原稿の場合は透過原稿用ガイドによって、原稿台ガラス面から０．５ｍｍほど浮かして設置するのが一般的であった。浮かす理由としては、ニュートンリングを防ぐため、あるいは、ガラス面に触れた場合に汚れを拾うという点が挙げられる。
【０００３】
この方式は、ＣＣＤを用いた縮小光学系のレンズの場合には、被写界深度が深く、原稿台ガラスと透過原稿の距離が０．５ｍｍ程度あっても実用上問題なかった。
【０００４】
【発明が解決しようとする課題】
ところが近年、小型化を目的として、ロッドレンズアレイを用いた等倍光学系の読取ユニットが登場している。ロッドレンズアレイは被写界深度が浅いため、原稿台ガラスと透過原稿の距離が０．５ｍｍ程度あると、焦点がぼやけてしまうという問題がある。
【０００５】
本発明はかかる実情に鑑み、反射原稿と透過原稿の両方の画像を有効かつ適正に読み取り得る画像読取装置を提供することを目的とする。
【０００６】
【課題を解決するための手段】
本発明の請求項１に記載の画像読取ユニットは、複数の光電変換素子をライン状に配列した第１の画像読み取り素子アレイと、前記第１の画像読み取り素子アレイと平行して複数の光電変換素子をライン状に配列した第２の画像読み取り素子アレイと、第１の焦点位置にある第１の原稿画像を前記第１列の画像読み取り素子アレイ上に結像させる第１のレンズと、前記第１のレンズとは共役長が異なり、前記第１の焦点位置と異なる第２の焦点位置にある第２の原稿画像を前記第２列の画像読み取り素子アレイ上に結像させる第２のレンズと、を備えたことを特徴とする。
【０００７】
また、請求項３に記載の画像読取ユニットは、複数の光電変換素子をライン状に配列した第１の画像読み取り素子アレイと、前記第１の画像読み取り素子アレイと平行して複数の光電変換素子をライン状に配列され、前記第１の画像読み取り素子アレイよりも高解像度な第２の画像読み取り素子アレイと、第１の焦点位置にある第１の原稿画像を前記第１列の画像読み取り素子アレイ上に結像させる第１のレンズと、前記第１の焦点位置と異なる第２の焦点位置にある第２の原稿画像を前記第２列の画像読み取り素子アレイ上に結像させる第２のレンズと、を備えたことを特徴とする。
【０００８】
【発明の実施の形態】
以下、図面に基づき、本発明による画像読取装置における好適な実施の形態を説明する。
【０００９】
（第１の実施形態）
図１は、本発明の第１の実施形態における画像読取装置を表す図面であり、同図において、１は読み取りユニット、２はステッピングモーター、３はベルト、４は原稿台ガラス、５は制御基板、６は３５ｍｍ写真フィルム、７は白色基準板兼原稿規制板、８はフラットケーブル、９は外部コンピューター、１０１は読み取りユニット１を取り付けるホルダ、１０２は３５ｍｍ写真フィルム６を格納するフィルムガイド（フィルムホルダ）、１０３はフィルム用光源ユニット、１０４は１０３と制御基板５を接続するためのケーブル、１０５は原稿規制板である。
【００１０】
図２は、制御基板５に内蔵される処理回路の構成を示すブロック図である。以下、図２を用いて本件の回路動作を説明する。
【００１１】
図２において、読み取りユニット１は、図１に示した原稿台ガラス４上に載置される反射原稿、又はフィルムガイド１０１に格納された写真フィルム６の画像を読み取るための読み取りユニットであり、反射原稿照明用光源であるＬＥＤ１２０１Ｃもこの読み取りユニット１に一体化されている。読み取りユニット１を原稿台４の原稿面に沿って移動させながら、ＬＥＤ制御回路１２０１Ｂにて１ライン毎に各色のＬＥＤを切り替えて点灯させることにより、Ｒ，Ｇ，Ｂ線順次のカラー画像を読み取ることが可能である。
【００１２】
なお、ＬＥＤ１２０１Ｂ自体は白色光を照射するようなものを用いて、ＬＥＤ１２０１Ｂから原稿までのＬＥＤの光路上にＲ，Ｇ，Ｂ（又はＣ，Ｍ，Ｙ，Ｋでもよい）の光学的な色フィルターを設け、上述と同様の手法により各色の順次のカラー画像を読み取るようにしてもよい。
【００１３】
１２０２は、ＣＩＳ１２０１より出力された信号を増幅させる増幅器であり、１２０３は当該増幅出力のＡ／Ｄ変換を行なって例えば８ビットのディジタル出力を得るＡ／Ｄ変換器である。シェーディングＲＡＭ１２０５は、白色シェーディング板を予め読み取ることによりシェーディング補正用のデータが記憶されるものであり、シェーディング補正回路１２０４は、前記シェーディングＲＡＭ１２０５のデータに基いて読み取られた画像信号のシェーディング補正を行なう。
【００１４】
ガンマ変換回路１２０６は、ホストコンピュータより。予め設定されたガンマカーブに従って読み取られた画像データのガンマ変換を行なう。バッファＲＡＭ１２０８は、実際の読取動作とホストコンピュータとの通信におけるタイミングとを合わせるために、画像データを１次的に記憶させるためのＲＡＭであり、パッキング／バッファＲＡＭ制御回路１２０７は、ホストコンピュータより予め設定された画像出力モード（２値、４ビット多値、８ビット多値、２４ビット多値）に従ったパッキング処理を行った後にそのデータをバッファＲＡＭ１２０８に書き込む処理を行い、インターフェース回路１２０９にバッファＲＡＭ１２０８から画像データを読み込んで出力させる。
【００１５】
インターフェース回路１２０９は、パーソナルコンピュータなどの本実施形態に係る画像読取装置のホスト装置となる外部装置９との間でコントロール信号の受容や画像信号の出力を行なう。１２１３は、例えばマイクロコンピュータ形態のＣＰＵであり、処理手順を格納したＲＯＭ１２１３Ａ及び作業用のＲＡＭ１２１３Ｂを有し、ＲＯＭ１２１３Ａに格納された手順に従って各部の制御を行なう。１２１２は例えば水晶発振器であり、１２１１はＣＰＵ１２１３の設定に応じて発振器１２１２の出力を分周して動作の基準となる各種タイミング信号を発生するタイミング信号発生回路である。
【００１６】
図３は、読み取りユニット１の構成図であり、１０は赤色ＬＥＤ、１１は緑色ＬＥＤ、１２は青色ＬＥＤ、１３は導光体である。また、１４は第１の光電変換素子アレイ、１５は第１のロッドレンズアレイ、２０１は第２の光電変換素子アレイ、２０２は第２のロッドレンズアレイであり、１６は第１および第２の光電変換素子アレイを取り付ける基板である。
【００１７】
基板１６には、第１の光電変換素子アレイ１４と第２の光電変換素子アレイ２０１が平行に配列されている。また、第１のロッドレンズアレイ１５が第１の光電変換素子アレイ１４に対応するように配置され、第２のロッドレンズアレイ２０２が第２の光電変換素子アレイ２０１に対応するように配置されている。
【００１８】
図４は、第１のロッドレンズアレイ１５および第２のロッドレンズアレイ２０２の被写界深度を説明するための図である。
【００１９】
図４（ａ）において、ＴｙｐｅＡは第１のロッドレンズアレイ１５に用いられるロッドレンズ、ＴｙｐｅＢは第２のロッドレンズアレイ２０２に用いられるロッドレンズを示している。ＴＣは、ＴｙｐｅＡおよびＴｙｐｅＢを側面から見た場合の焦点位置間の距離（共役長）を表す。この例ではＴｙｐｅＡの共役長ＴＣ＝１５．１ｍｍ、ＴｙｐｅＢの共役長ＴＣ＝１５．６ｍｍである。図４（ｂ）のグラフは、ＴｙｐｅＡの焦点位置からΔＬ離れたときの空間周波数ＭＴＦの変化を示す。ＴｙｐｅＢはＴｙｐｅＡに比べて若干変化がゆるやかだが、ほぼ同じ特性を持つ。
【００２０】
ここで、ＭＴＦの計算式は次の（１）式で表される。
ＭＴＦ＝（白濃度最小値−黒濃度最大値）／（基準白濃度値−基準黒濃度値）・・・・・・（１）
【００２１】
この実施形態では、図４（ｃ）中に示す１７０μｍ毎にならんだ白と黒の線が描かれた原稿をΔＬ離れた位置に置いて、それを読み取った画像から算出する。読み取った画像データの白濃度最小値と黒濃度最大値と、原稿の濃度を基準白濃度と基準黒濃度として算出する。
【００２２】
ＭＴＦは解像力を示す指標であるが、ΔＬが大きくなると像がぼやけてＭＴＦ値が低下してくる。本実施形態の１７０μｍ毎の線が描かれた原稿で測定した場合では、ＭＴＦが４０％以上であれば実用範囲内である。図４（ｂ）のグラフから分かるように、ＭＴＦはΔＬ＝０ｍｍの時にピークになり、約８２％あるが、その位置から約０．２５ｍｍ離れると、ＭＴＦ値が約４０％以下になってしまう。
【００２３】
つぎに、装置動作の概要を説明する。
【００２４】
図１において、制御基板５によりステッピングモーター２が駆動される。この駆動力はベルト３によってホルダ１０１、すなわち読み取りユニット１に伝達され、読み取りユニット１は原稿台ガラス４に沿って連続的に移動しながら原稿台ガラス４上に置かれた反射原稿又はフィルムガイド（フィルムホルダ）１０２に格納された透過原稿（写真フィルム）６を走査する。
【００２５】
ここで、光電変換素子アレイとロッドレンズアレイについて説明する。図２に示されるように、読み取りユニット１に取り付けられた第１の光電変換素子アレイ１４および第２の光電変換素子アレイ２０１は、読み取りユニット１の長軸方向に沿って伸びるように配置されている。
【００２６】
本実施形態の場合、第１の光電変換素子アレイ１４はＡ４サイズの反射原稿を読み取るために用意されている。そのためにＡ４サイズ原稿の短手方向（２１０ｍｍ）に６００ＤＰＩ相当の密度（解像度）で読み取り可能なように、６４５素子を持つ光電変換セルが８個、直線状に配置されていて、合計で５１６０画素分の光電変換素子が基板１６上に並んでいる。これは約２１９ｍｍの読取画像長（読取幅）となり、Ａ４サイズの短手方向に対して平行に移動して読み取るのに適している。
【００２７】
また、第１の光電変換素子アレイ１４に対応する第１のロッドレンズアレイ１５は、その有効結像範囲（結像幅）が第１の光電変換素子アレイ１４の読取画像長（読取幅）と同じ約２１９ｍｍになるように配列されている。
【００２８】
一方、第２の光電変換素子アレイ２０１は、３５ｍｍ写真フィルム６などの透過原稿を高解像度で高速に読み取るために用意されている。そのために２４００ＤＰＩ相当の密度（解像度）で読み取り可能なように、２５７６素子を持つ光電変換セルが１個設置されている。これは約２７ｍｍの読取画像長（読取幅）となり、３５ｍｍ写真フィルムの短手方向の大きさが約２４ｍｍであるから、３５ｍｍ写真フィルムを短手方向に対して平行に移動して読み取るのに適している。また読取画像長が短いことから２４００ＤＰＩでＡ４サイズ（２１０ｍｍ）の読取画像長にした場合に比べて、１ラインあたりの画像転送速度が早くなり、かつコストも安くできる。
【００２９】
また、第２の光電変換素子アレイ２０１に対応する第２のロッドレンズアレイ２０２は、その有効結像範囲（結像幅）が第２の光電変換素子アレイ２０１の読取画像長（読取幅）と同じ約２７ｍｍになるように配列されている。
【００３０】
それでは最初に、反射原稿を読み取る場合を説明する。
【００３１】
図５は反射原稿４０１を読み取る場合の装置断面図である。
【００３２】
赤色ＬＥＤ１０、緑色ＬＥＤ１１および青色ＬＥＤ１２から照射された光は、図３に示すように導光体１３によって読み取りユニット１の長軸方向（長手方向）に導かれた後、原稿台ガラス４の上面を照射する。この光は原稿台ガラス４の上面に置かれた反射原稿４０１で反射され、第１のロッドレンズアレイ１５により集光されて第１の光電変換素子１４上に投射される。図４を用いて前述したように、第１のロッドレンズアレイ１５の共役長（ＴＣ）は１５．１ｍｍであり、原稿台ガラス４の上面０ｍｍ（第１の焦点位置）と光電変換素子アレイ１４上に最適な焦点を結ぶ位置に設置され、また、反射原稿４０１の画像を等倍で第１の光電変換素子アレイ１４上に投射する。反射原稿４０１で反射したＬＥＤ１０，１１，１２の照射光を受けて、第１の光電変換素子アレイ１４には電荷が蓄積され、つぎの周期の読み取り開始パルス（Ｈｓｙｎｃ）で第１の光電変換素子アレイ１４内の転送部に保存され、画素読み取りクロック（Ｃｌｏｃｋ）によって１画素毎の電気信号として出力される。
【００３３】
赤色ＬＥＤ１０、緑色ＬＥＤ１１および青色ＬＥＤ１２の点灯は、読み取り開始パルス（Ｈｓｙｎｃ）毎に切り換えられる。読み取りユニット１の移動に連れて、各ＬＥＤ１０，１１，１２を順次点灯させる。各ＬＥＤ１０，１１，１２によって色分解されて検出された画像信号は、フラットケーブル８を通して制御基板５から外部コンピューター９に送られ、外部コンピューター９内で画像処理が行われる。
【００３４】
つぎに、透過原稿として、３５ｍｍ写真フィルムを読み取る場合を説明する。
【００３５】
図６は、３５ｍｍ写真フィルム６を読み取る場合に用いるフィルム用光源ユニット１０３およびフィルムガイド（フィルムホルダ）１０２の構成図である。
【００３６】
フィルム用光源ユニット１０３は拡散板１７、フィルム用赤色ＬＥＤ１８、フィルム用緑色ＬＥＤ１９およびフィルム用青色ＬＥＤ２０を内部に持つ。本実施形態の拡散板１７は例えば特開２００１−３４２１０号公報に記載の面光源を用いることができる。各ＬＥＤから照射された光は拡散板１７で拡散され、図中の拡散板下面から均一の光が発せられる。この実施形態の拡散板１７は、その大きさが５０ｍｍ×２５ｍｍであり、３５ｍｍ写真フィルム６の１コマ分の有効画像領域：約３６ｍｍ×２４ｍｍを照射することができる。
【００３７】
３５ｍｍ写真フィルム６はフィルムガイド１０２に格納されている。フィルムガイド１０２は、原稿台ガラス４（図５中には示していない）上に設置されるが、その際、３５ｍｍ写真フィルム６が読み取りユニット１内の第２の光電変換素子アレイ２０１の有効読取範囲内に入るように設置される。
【００３８】
図７はフィルムガイド１０２の構成図で、図に示すように、窓枠６０１に３５ｍｍ写真フィルム６を設置して、フィルム挟み６０２で固定する。窓枠の厚みは約０．５ｍｍある。これによって３５ｍｍ写真フィルム６は、原稿台ガラス４上に設置した時に原稿台ガラス４上の第１の焦点位置から約０．５ｍｍ浮いた第２の焦点位置に設置されることになる。
【００３９】
図８は３５ｍｍ写真フィルム６を読み取る際の装置の断面図である。
【００４０】
フィルム用光源ユニット１０３から照射されるフィルム用赤色ＬＥＤ１８，フィルム用緑色ＬＥＤ１９およびフィルム用青色ＬＥＤ２０からの照射光は、第２の焦点位置にある３５ｍｍ写真フィルム６を透過して第２のロッドレンズアレイ２０２により集光されて第２の光電変換素子２０１上に投射される。図４を用いて前述したように、第２のロッドレンズアレイ２０２の共役長（ＴＣ）は１５．６ｍｍであり、原稿台ガラス４の上面から０．５ｍｍ離れた第２の焦点位置と光電変換素子アレイ２０１上に最適な焦点を結ぶ位置に設置され、また、３５ｍｍ写真フィルム６の画像を等倍で第２の光電変換素子アレイ２０１上に投射する。３５ｍｍ写真フィルム６を透過したＬＥＤ１８，１９，２０の光を受けて、第２の光電変換素子アレイ２０１には電荷が蓄積される。これ以降の動作は前述した反射原稿の場合と同じである。なお、反射原稿を読み取る場合に用いる第１の光電変換素子アレイの出力信号と透過原稿を読み取る場合に用いる第２の光電変換素子アレイ２０１の出力信号は、ともに図２に示した同じ処理回路により処理される。
【００４１】
３５ｍｍ写真フィルム６は、原稿台ガラス４から約０．５ｍｍ浮いて設置されているが、第２のロッドレンズアレイ２０２を用いることにより、焦点位置を合わせることができ、適正な解像力で画像を読み取ることができる。
【００４２】
以上説明したように本実施形態によれば、反射原稿の読み取り時には、反射原稿に適した、解像度と読取画像長を持つ画像読み取り素子アレイおよび焦点距離をもつロッドレンズアレイを用い、透過原稿の読み取り時には、透過原稿に適した、解像度と読取画像長を持つ画像読み取り素子アレイおよび焦点距離をもつロッドレンズアレイを用いることで、１つの画像読み取りユニット、およびそれを用いた画像読取装置において、反射原稿と透過原稿とで、それぞれ最適な条件で画像を読み込むことが可能になる。
【００４３】
また、反射原稿に比べて高い解像度を要求される透過原稿の読取において、コストの高い高解像度の読取素子の長さを必要最小限にすることが可能である。これにより、反射原稿と透過原稿の兼用で１つの長い高解像度の読取素子を用いる場合に比べて装置のコストダウンと読み取り速度の向上が可能になる。
【００４４】
（第２の実施形態）
図９は、第２の実施形態における読み取りユニット１の構成図である。図５に示した第１の実施形態と基本的な構成は同じであるが、第２のロッドレンズアレイ２０３として、第１のロッドレンズアレイ１５と同じ共役長を有するものを用いている点が異なる。また、それに伴って、第１の光電変換素子アレイ１４が取り付けられる基板１６に第２の光電変換素子アレイ２０１を直接配置するのではなく、０．５ｍｍ厚程度の高さ調整部材２０４を基板１６上に取り付け、さらにその上に第２の光電変換素子アレイ２０１を取り付けている点も異なる。それ以外の構成は図５に示したものと同じである。
【００４５】
図１０は、反射原稿４０１を読み取る場合の装置断面図である。
【００４６】
赤色ＬＥＤ１０、緑色ＬＥＤ１１および青色ＬＥＤ１２から照射された光は、図１０に示すように導光体１３によって読み取りユニット１の長軸方向（長手方向）に導かれた後、原稿台ガラス４の上面を照射する。この光は原稿台ガラス４の上面に置かれた反射原稿４０１で反射され、第１のロッドレンズアレイ１５により集光されて第１の光電変換素子１４上に投射される。第１のロッドレンズアレイ１５の共役長（ＴＣ）は１５．１ｍｍであり、原稿台ガラス４の上面０ｍｍ（第１の焦点位置）と光電変換素子アレイ１４上に最適な焦点を結ぶ位置に設置され、また、反射原稿４０１の画像を等倍で第１の光電変換素子アレイ１４上に投射する。
これ以降の動作は前述した第１の実施形態の場合と同じである。
【００４７】
図１１は、３５ｍｍ写真フィルム６を読み取る際の装置の断面図である。
【００４８】
フィルム用光源ユニット１０３から照射されるフィルム用赤色ＬＥＤ１８，フィルム用緑色ＬＥＤ１９およびフィルム用青色ＬＥＤ２０からの照射光は、第２の焦点位置にある３５ｍｍ写真フィルム６を透過して第２のロッドレンズアレイ２０２により集光されて第２の光電変換素子２０１上に投射される。第２のロッドレンズアレイ２０３の共役長（ＴＣ）は第１のロッドレンズアレイ１５と同じ１５．１ｍｍであるが、原稿台ガラス４の上面から０．５ｍｍ離れた第２の焦点位置と光電変換素子アレイ２０１上に最適な焦点を結ぶように第１のロッドレンズアレイ１５よりも０．５ｍｍ程度ずらした位置に設置され、３５ｍｍ写真フィルム６の画像を等倍で第２の光電変換素子アレイ２０１上に投射する。３５ｍｍ写真フィルム６を透過したＬＥＤ１８，１９，２０の光を受けて、第２の光電変換素子アレイ２０１には電荷が蓄積される。これ以降の動作は前述した反射原稿の場合と同じである。
【００４９】
第２のロッドレンズアレイ２０３を用いることにより、原稿台ガラス４から約０．５ｍｍ浮いて設置されている３５ｍｍ写真フィルム６の画像を適正な解像力で読み取ることができる。
【００５０】
【発明の効果】
以上説明したように、本発明によれば、原稿に応じた最適な条件で画像を読み取ることが可能になる。
【図面の簡単な説明】
【図１】本発明の第１の実施形態における画像読取装置の基本的な構成を表す概略図である。
【図２】本発明の第１の実施形態における画像読取装置の処理回路の構成ブロック図である。
【図３】本発明の第１の実施形態における画像読取装置の読み取りユニットの構成図である。
【図４】本発明の第１の実施形態における読み取りユニットのロッドレンズの特性を示す図である。
【図５】本発明の第１の実施形態における反射原稿読み取り時の構成の断面図である。
【図６】本発明の第１の実施形態における３５ｍｍ写真フィルムの読み取り構成図である。
【図７】本発明の第１の実施形態における３５ｍｍ写真フィルムのフィルムガイドへの装着方法を示す図である。
【図８】本発明の第１の実施形態における３５ｍｍ写真フィルム読み取り構成の断面図である。
【図９】本発明の第２の実施形態における画像読取装置の読み取りユニットの構成図である。
【図１０】本発明の第２の実施形態における反射原稿読み取り時の構成の断面図である。
【図１１】本発明の第２の実施形態における３５ｍｍ写真フィルム読み取り構成の断面図である。
【符号の説明】
１　読み取りユニット
２　ステッピングモーター
３　ベルト
４　原稿台ガラス
５　制御基板
６　３５ｍｍ写真フィルム
７　白色基準板兼・原稿規制板
８　フラットケーブル
９　外部コンピューター
１０　赤色ＬＥＤ
１１　緑色ＬＥＤ
１２　青色ＬＥＤ
１３　導光体
１４　第１の光電変換素子アレイ
１５　第１のロッドレンズアレイ
１６　基板
１７　拡散板
１８　フィルム用赤色ＬＥＤ
１９　フィルム用緑色ＬＥＤ
２０　フィルム用青色ＬＥＤ
１０１　ホルダ
１０２　ガイド（フィルムホルダ）
１０３　フィルム用光源ユニット
１０４　ケーブル
１０５　原稿規制板
２０１　第２の光電変換素子アレイ
２０２　第２のロッドレンズアレイ
２０３　第２のロッドレンズアレイ
４０１　反射原稿
【図１】
2004126284.tif 000003
【図２】
2004126284.tif 000004
【図３】
2004126284.tif 000005
【図４】
2004126284.tif 000006
【図５】
2004126284.tif 000007
【図６】
2004126284.tif 000008
【図７】
2004126284.tif 000009
【図８】
2004126284.tif 000010
【図９】
2004126284.tif 000011
【図１０】
2004126284.tif 000012
【図１１】
2004126284.tif 000013